【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
潤滑グリース組成物であって、
（ａ）潤滑粘度の油、および
（ｂ）金属石けん増ちょう剤
（ｃ）１０個〜３２個の炭素原子を有するアルキル基を少なくとも１つ含むホウ酸エステルであって、該アルキル基がβ位またはより高位の位置に分枝を有する、ホウ酸エステル
を含む、潤滑グリース組成物。
【請求項２】
前記ホウ酸エステルが、互いに独立して１０個〜３２個の炭素原子を有する複数のアルキル基を含み、該アルキル基がβ位またはより高位の位置に分枝を有する、請求項１に記載の潤滑グリース組成物。
【請求項３】
前記アルキル基が、β位で分枝状である、請求項１または請求項２に記載の潤滑グリース組成物。
【請求項４】
前記アルキル基が、−ＣＨ２−Ｃ（Ｒ１）（Ｒ２）Ｈで表される構造を有し、Ｒ１が７個〜１８個の炭素原子のアルキル基であり、Ｒ２がＲ１よりも少ない炭素原子を有するアルキル基である、請求項１から３のいずれかに記載の潤滑グリース組成物。
【請求項５】
前記アルキル基が、−ＣＨ２−Ｃ（Ｒ１）（Ｒ２）Ｈで表される構造を有し、Ｒ１が７個〜１８個の炭素原子のアルキル基であり、Ｒ２がＲ１よりも４個少ない炭素原子を有するアルキル基である、請求項１から４のいずれかに記載の潤滑グリース組成物。
【請求項６】
前記アルキル基が２−プロピルヘプチル基、２−ブチルオクチル基、２−ヘキシルデシル基または２−オクチルドデシル基である、請求項１から５のいずれかに記載の潤滑グリース組成物。
【請求項７】
前記アルキル基が、ゲルベアルコールから誘導される、請求項１から６のいずれかに記載の潤滑グリース組成物。
【請求項８】
前記ホウ酸エステルが、式（ＲＯ）３Ｂ、（ＲＯ）２Ｂ−Ｏ−Ｂ（ＯＲ）２または
【化３】
2018503728.tif 000001
の１つまたはそれより多くで表され、それぞれのＲが独立して１０個〜３２個の炭素原子を有し、β位またはより高位の位置に分枝を有するアルキル基である、請求項１から７のいずれかに記載の潤滑グリース組成物。
【請求項９】
前記ホウ酸エステルが、トリアルキルボレートを含む、請求項１から８のいずれかに記載の潤滑グリース組成物。
【請求項１０】
前記ホウ酸エステルが、構造
【化４】
2018503728.tif 000002
で表される物質を含む、請求項１から９のいずれかに記載の潤滑グリース組成物。
【請求項１１】
前記金属石けんが、アルカリ金属またはアルカリ土類金属と脂肪酸との反応物である、請求項１から１０のいずれかに記載の潤滑グリース組成物。
【請求項１２】
前記アルカリ金属が、リチウムである、請求項１１に記載の潤滑グリース組成物。
【請求項１３】
前記アルカリ土類金属が、カルシウムである、請求項１１に記載の潤滑グリース組成物。
【請求項１４】
前記脂肪酸が、ヒマシ油の誘導体を含む、請求項１１に記載の潤滑グリース組成物。
【請求項１５】
前記脂肪酸が、１２−ヒドロキシカルボン酸を含む、請求項１１に記載の潤滑グリース組成物。
【請求項１６】
前記１２−ヒドロキシカルボン酸が、１２−ヒドロキシステアリン酸もしくはリシノール酸またはそれらの混合物である、請求項１５に記載の潤滑グリース組成物。
【請求項１７】
前記潤滑グリース組成物が：
０．１重量％〜４５重量％の前記金属石けん増ちょう剤；および
０．１重量％〜１０重量％の前記ホウ酸エステル
を含む、請求項１〜１６のいずれかに記載の潤滑グリース組成物。
【請求項１８】
１つまたはそれより多くの添加剤をさらに含む、請求項１〜１７のいずれかに記載の潤滑グリース組成物。
【請求項１９】
機械装置を潤滑する方法であって、該機械装置に請求項１から１６のいずれかに記載の潤滑グリース組成物を供給する工程を含む、方法。
【手続補正２】
【補正対象書類名】明細書
【補正対象項目名】００７５
【補正方法】変更
【補正の内容】
【００７５】
本発明が、その好ましい実施形態と関連して説明されている一方で、その種々の改変物が、本明細書を読むと当業者に明らかになることは理解されるべきである。従って、本明細書に開示される本発明が、特許請求の範囲内に入るそのような改変物を網羅することを意図されていることは理解されるべきである。
一実施形態において、例えば、以下の項目が提供される。
（項目１）
潤滑グリース組成物であって、
（ａ）潤滑粘度の油、および
（ｂ）金属石けん増ちょう剤
（ｃ）１０個〜約３２個の炭素原子を有するアルキル基を少なくとも１つ含むホウ酸エステルであって、該アルキル基がβ位またはより高位の位置に分枝を有する、ホウ酸エステル
を含む、潤滑グリース組成物。
（項目２）
前記ホウ酸エステルが、互いに独立して１０個〜約３２個の炭素原子を有する複数のアルキル基を含み、該アルキル基がβ位またはより高位の位置に分枝を有する、項目１に記載の潤滑グリース組成物。
（項目３）
前記アルキル基が、β位で分枝状である、項目１または項目２に記載の潤滑グリース組成物。
（項目４）
前記アルキル基が、−ＣＨ２−Ｃ（Ｒ１）（Ｒ２）Ｈで表される構造を有し、Ｒ１が７個〜約１８個の炭素原子のアルキル基であり、Ｒ２がＲ１よりも少ない炭素原子を有するアルキル基である、項目１から３のいずれかに記載の潤滑グリース組成物。
（項目５）
前記アルキル基が、−ＣＨ２−Ｃ（Ｒ１）（Ｒ２）Ｈで表される構造を有し、Ｒ１が７個〜約１８個の炭素原子のアルキル基であり、Ｒ２がＲ１よりも４個少ない炭素原子を有するアルキル基である、項目１から４のいずれかに記載の潤滑グリース組成物。
（項目６）
前記アルキル基が２−プロピルヘプチル基、２−ブチルオクチル基、２−ヘキシルデシル基または２−オクチルドデシル基である、項目１から５のいずれかに記載の潤滑グリース組成物。
（項目７）
前記アルキル基が、ゲルベアルコールから誘導される、項目１から６のいずれかに記載の潤滑グリース組成物。
（項目８）
前記ホウ酸エステルが、式（ＲＯ）３Ｂ、（ＲＯ）２Ｂ−Ｏ−Ｂ（ＯＲ）２または
【化３】
2018503728.tif 000003
の１つまたはそれより多くで表され、それぞれのＲが独立して１０個〜約３２個の炭素原子を有し、β位またはより高位の位置に分枝を有するアルキル基である、項目１から７のいずれかに記載の潤滑グリース組成物。
（項目９）
前記ホウ酸エステルが、トリアルキルボレートを含む、項目１から８のいずれかに記載の潤滑グリース組成物。
（項目１０）
前記ホウ酸エステルが、構造
【化４】
2018503728.tif 000004
で表される物質を含む、項目１から９のいずれかに記載の潤滑グリース。
（項目１１）
前記金属石けんが、アルカリ金属またはアルカリ土類金属と脂肪酸との反応物である、項目１から１０のいずれかに記載の潤滑グリース。
（項目１２）
前記アルカリ金属が、リチウムである、項目１１に記載の潤滑グリース組成物。
（項目１３）
前記アルカリ土類金属が、カルシウムである、項目１１に記載の潤滑グリース。
（項目１４）
前記脂肪酸が、ヒマシ油の誘導体を含む、項目１１に記載の潤滑グリース。
（項目１５）
前記脂肪酸が、１２−ヒドロキシカルボン酸を含む、項目１１に記載の潤滑グリース。
（項目１６）
前記１２−ヒドロキシカルボン酸が、１２−ヒドロキシステアリン酸もしくはリシノール酸またはそれらの混合物である、項目１５に記載の潤滑グリース。
（項目１７）
前記潤滑グリースが：
０．１重量％〜４５重量％の前記金属石けん増ちょう剤；および
０．１重量％〜１０重量％の前記ホウ酸エステル
を含む、項目１〜１６のいずれかに記載の潤滑グリース。
（項目１８）
１つまたはそれより多くの添加剤をさらに含む、項目１〜１７のいずれかに記載の潤滑グリース。
（項目１９）
機械装置を潤滑する方法であって、該機械装置に項目１から１６のいずれかに記載の潤滑グリースを供給する工程を含む、方法。